(57)【要約】【課題】スイングスピードが小さいときであっても、十分な飛距離が得られるソリッドゴルフボールを提供する。【解決手段】ソリッドゴルフボール１０は、例えば、内層コア１２及び外層コア１４からなるソリッドコア１６と、カバー１８とを有する。該ソリッドゴルフボール１０は、比重が１．００〜１．２０、直径が４０．６〜４２．６ｍｍ、慣性モーメントが６０〜８０ｇ・ｃｍ2の範囲内である。さらに、このソリッドゴルフボール１０を１２５ｆｔ／秒の入射速度で打球したとき、反発係数は０．８２０以上である。【選択図】図１
2018102347.tif 000002
【特許請求の範囲】
【請求項１】
少なくとも１層を有するソリッドコアと、少なくとも１層を有するカバーとを具備するソリッドゴルフボールにおいて、
比重が１．００〜１．２０、直径が４０．６〜４２．６ｍｍ、慣性モーメントが６０〜８０ｇ・ｃｍ2であり、且つ入射速度が１２５ｆｔ／秒であるときの反発係数が０．８２０以上であることを特徴とするソリッドゴルフボール。
【請求項２】
請求項１記載のボールにおいて、比重をｄ、慣性モーメントをＩとするとき、下記の式（１）を満足することを特徴とするソリッドゴルフボール。
Ｉ≧５３ｄ＋５  …（１）
【請求項３】
請求項１又は２記載のボールにおいて、比重が１．０５〜１．１８、直径が４１．１〜４２．６ｍｍであることを特徴とするソリッドゴルフボール。
【請求項４】
請求項１〜３のいずれか１項に記載のボールにおいて、反発係数が０．８３０以上であることを特徴とするソリッドゴルフボール。
【発明の詳細な説明】
【技術分野】
【０００１】
本発明は、少なくとも１層を有するソリッドコアと、少なくとも１層を有するカバーとを具備するソリッドゴルフボールに関する。
【背景技術】
【０００２】
ゴルフクラブのスイングスピード（「クラブヘッドスピード」ないし「ヘッドスピード」とも指称される）が小さいプレイヤーがゴルフボールを打球した場合、ゴルフボールの初速度が十分ではないため、飛距離が短くなることがある。これを回避するべく、ゴルフボールを軽量化する試みがなされている。ゴルフボールが軽量であると、小さいスイングスピードでの打球であっても上昇し易くなるので高弾道となり易いため、飛距離の増大を図ることができるからである。
【０００３】
例えば、特許文献１には、一般的なゴルフボールの重量が４５ｇ以上であるのに対し、重量を４０ｇ以上４５ｇ未満に設定したツーピースソリッドゴルフボールが提案されている。ここで、一般的にはゴルフボールが軽量になると回転安定性が不十分となるが、特許文献１記載の従来技術では、慣性モーメントを８０ｇ・ｃｍ2以上と高くすることによって十分な回転安定性を得るようにしている。
【０００４】
また、特許文献２には、最内芯と１層以上の中間層とを有するソリッドコアにカバーを被覆したマルチピースソリッドゴルフボールにおいて、比重を１．０〜１．１ｇ／ｃｍ2とし、さらに重量を４０〜４５ｇの範囲内とすることが提案されている。
【先行技術文献】
【特許文献】
【０００５】
【特許文献１】特許第３０６７６１１号公報
【特許文献２】特許第２８８８１６８号公報
【発明の概要】
【発明が解決しようとする課題】
【０００６】
各種のソリッドゴルフボールは、その直径が、米国ゴルフ協会（ＵＳＧＡ）がゴルフボールの公認規格として規定する下限値以上となるように設定される。特許文献１、２に記載されたゴルフボールもこの規格に準拠するべく、直径を４２．６７ｍｍ以上に設定しているといえる。
【０００７】
このように重量を小さくする一方で直径が維持されたゴルフボールでは、空気抵抗を低減することが容易ではない。従って、特許文献１に記載されるように慣性モーメントを大きくしても、飛行中にボールのスピン量や速度が低下して十分な飛距離が得られないことがあると考えられる。
【０００８】
本発明は上記した問題を解決するためになされたもので、スイングスピードが小さいプレイヤーが打球したような場合であっても十分な飛距離が得られるソリッドゴルフボールを提供することを目的とする。
【課題を解決するための手段】
【０００９】
前記の目的を達成するために、本発明は、少なくとも１層を有するソリッドコアと、少なくとも１層を有するカバーとを具備するソリッドゴルフボールにおいて、
比重が１．００〜１．２０、直径が４０．６〜４２．６ｍｍ、慣性モーメントが６０〜８０ｇ・ｃｍ2であり、且つ入射速度が１２５ｆｔ／秒であるときの反発係数が０．８２０以上であることを特徴とする。
【００１０】
このように、本発明では、慣性モーメントを従来技術と略同等に維持しつつ、直径を小さくするようにしている。また、反発係数も大きい。このため、空気抵抗が低減してスピン量が保たれ、且つ打球時の初速度が大きくなる。以上により、十分な飛距離が確保される。
【００１１】
さらに、比重をｄ、慣性モーメントをＩとするとき、下記の式（１）を満足することが好ましい。この場合、飛距離が一層大きくなるからである。
Ｉ≧５３ｄ＋５  …（１）
【００１２】
なお、比重は１．０５〜１．１８の範囲内、直径は４１．１〜４２．６ｍｍの範囲内であることが一層好ましい。さらに、反発係数は０．８３０以上であることが一層好ましい。
【発明の効果】
【００１３】
本発明によれば、ゴルフボールとしての直径を小さくする一方で反発係数を大きくするようにしている。このため、十分な飛距離が確保される。
【図面の簡単な説明】
【００１４】
【図１】本発明の実施の形態に係るソリッドゴルフボールを直径に沿って切断した概略全体断面図である。
【発明を実施するための形態】
【００１５】
以下、本発明に係るソリッドゴルフボールにつき好適な実施の形態を挙げ、添付の図面を参照して詳細に説明する。なお、以下では、「ソリッドゴルフボール」を単に「ゴルフボール」と表記することもある。
【００１６】
図１は、本実施の形態に係るゴルフボールを直径に沿って切断した概略全体断面図である。このゴルフボール１０は、内層コア１２と外層コア１４からなる２層構造のソリッドコア１６と、該ソリッドコア１６を被覆するカバー１８とを有するスリーピースソリッドゴルフボールである。
【００１７】
この場合、内層コア１２及び外層コア１４は、１，４−シス−ブタジエンを基材とするゴム組成物が加熱されることによって形成され、架橋したポリブタジエンゴムを主成分とする。なお、必要に応じて、酸化亜鉛、炭酸カルシウム、硫酸バリウム等の無機充填剤や、アクリル酸亜鉛、メタクリル酸亜鉛等の共架橋剤、有機過酸化物、例えば、ジクミルパーオキサイド等の架橋開始剤、老化防止剤、着色剤等がさらに配合されていてもよい。
【００１８】
このような配合物を含んで構成される内層コア１２及び外層コア１４は、公知の手法によって作製することができる。
【００１９】
ソリッドコア１６を被覆するカバー１８は、アイオノマー樹脂や熱可塑性エラストマー等の組成物を用いた射出成形によって形成することができる。必要に応じ、前記組成物に酸化防止剤、着色剤等を配合するようにしてもよい。
【００２０】
このような３層からなるゴルフボール１０の直径は、４０．６〜４２．６ｍｍの範囲内に設定される。４０．６ｍｍ未満であると、プレイヤーが視認した際に実際よりも小さいボールに認識されて違和感を覚えることがある。また、ゴルフ場でラフに入ると、ボールが芝の根本に沈んで打球し難くなる。一方、４２．６ｍｍを超えると現在の公認規格に準拠したボール（以下、「規格品」とも表記する）の直径との差がほとんどなくなるので、飛距離を大きくすることが困難となる。
【００２１】
ゴルフボール１０の一層好ましい直径は、４１．１〜４２．６ｍｍである。なお、ゴルフボール１０を小径化するのに対応し、ソリッドコア１６の直径を、規格品のソリッドコアに比して小さくすればよい。
【００２２】
また、ゴルフボール１０を軽量化するべく、該ゴルフボールの比重は１．００〜１．２０の範囲内に設定される。この比重の範囲内において、ゴルフボール１０の重量は３８．０〜４５．２ｇであることが好ましい。４５．２ｇを超えると規格品の重量と略同等となるので、飛距離を大きくすることが困難となる。一層好ましい比重は、１．０５〜１．１８である。
【００２３】
さらに、ゴルフボール１０の慣性モーメントは、直径及び比重が上記の範囲内であることを条件として、６０〜８０ｇ・ｃｍ2となるように設定される。本実施の形態では、従来技術に係る軽量ゴルフボールに比して慣性モーメントを小さくすることで、小さいスイングスピードでの打球時に飛距離性能を向上させることが可能となる。ただし、慣性モーメントが６０ｇ・ｃｍ2未満であると、スピン性能が低下してしまう。
【００２４】
ボールの比重をｄ、慣性モーメントをＩとするとき、比重ｄと慣性モーメントＩとの間に下記の式（１）が成立することが好ましい。
Ｉ≧５３ｄ＋５  …（１）
【００２５】
さらに、入射速度が１２５ｆｔ／秒（３８．１ｍ／秒）であるときのゴルフボール１０の反発係数は、０．８２０以上であり、一層好ましくは０．８３０以上である。このように、ゴルフボール１０は、入射速度が３８．１ｍ／ｓと比較的小さいにも関わらず、高い反発係数を示す。すなわち、スイングスピードが小さいときであっても、十分に反発する。なお、反発係数は、各構成層の材料、直径又は厚み、撓み量等を適宜変更することにより調節することが可能である。
【００２６】
このように、ゴルフボール１０は、直径、比重、慣性モーメント及び反発係数が所定の範囲内又は閾値超とされており、このため、スイングスピードが小さいときであっても十分な飛距離を示す。
【００２７】
なお、図１においては、ソリッドコア１６が内層コア１２及び外層コア１４の２層からなるゴルフボール１０を示しているが、ソリッドコア１６は単一層であってもよい。この場合、ツーピースソリッドゴルフボールが形成される。また、ソリッドコアを３層以上としてもよいし、カバーも２層以上としてもよい。さらに、ソリッドコア１６とカバー１８との間に中間層を介装するようにしてもよい。
【実施例】
【００２８】
ポリブタジエンゴム１００重量部に対し、老化防止剤０．３重量部、酸化亜鉛８０重量部、アクリル酸亜鉛１６重量部、ジクミルパーオキサイド１．５重量部を配合したゴム組成物から、直径２４．６ｍｍ、重量１１．８ｇの内層コアを作製した。
【００２９】
次に、ポリブタジエンゴム１００重量部に対し、老化防止剤０．３重量部、酸化亜鉛１５重量部、アクリル酸亜鉛３０重量部、ジクミルパーオキサイド１．５重量部を配合したゴム組成物で内層コアを被覆することにより外層コアを作製し、２層構造のソリッドコアを形成した。ソリッドコアの直径は３７．７ｍｍ、重量は３４．７ｇのソリッドコアであった。
【００３０】
その後、ハイミラン１６０５及びハイミラン１７０６（いずれも三井デュポンポリケミカル社製のアイオノマー樹脂）を５０：５０の割合で混合した樹脂組成物をソリッドコアの外周部に射出成形することでカバーを作製し、直径４２．００ｍｍ、重量４４．６ｇ、比重１．１７、慣性モーメント７５．９１ｇ・ｃｍ2であるスリーピースソリッドボールを得た。これを実施例１とする。
【００３１】
なお、比重及び慣性モーメントは、それぞれ、ミラージトレーディング社製の電子比重計ＥＷ−１２０ＳＧ、イナーシャダイナミクス社製の慣性モーメント測定装置ＭＯＩ−００５−１０４を用いて測定した。また、（比重×５３＋５）の値は６７．０１であり、慣性モーメントの値よりも小さかった。すなわち、実施例１のスリーピースソリッドボールは、上記式（１）を満足していた。
【００３２】
このスリーピースソリッドボールにつき、ＡＤＣ社製の反発試験器で入射速度３８．１ｍ／秒（１２５ｆｔ／秒）として反発係数を求めたところ、０．８２２８であった。さらに、ミヤマエ社製のスイングロボットにドライバーを装着し、スイングスピードを３８．１ｍ／秒として打球したときの飛距離は１９９．５ｍであった。
【００３３】
以上とは別に、内層コアのゴム組成物、又は外層コアのゴム組成物の配合割合を適宜変更して、ボール直径が４２．００〜４２．０７ｍｍであるスリーピースソリッドゴルフボールを作製した。各々を実施例２〜５とする。
【００３４】
さらに、内層コアのゴム組成物、又は外層コアのゴム組成物の配合割合を適宜変更して、直径が４１．１０〜４１．２２ｍｍであるスリーピースソリッドゴルフボールを作製した。各々を実施例６〜９とする。
【００３５】
さらにまた、ポリブタジエンゴム１００重量部に対して老化防止剤０．３重量部、酸化亜鉛２２重量部、アクリル酸亜鉛３５重量部、ジクミルパーオキサイド１．５重量部を配合したゴム組成物から、直径３７．７ｍｍ、重量３３．５ｇの１層構造のソリッドコアを作製した。
【００３６】
その後、ハイミラン１６０５とハイミラン１７０６を５０：５０の割合で混合した樹脂組成物をソリッドコアの外周部に射出成形することによりカバーを作製し、直径４２．０５ｍｍ、重量４３．３ｇのツーピースソリッドゴルフボールを得た。これを実施例１０とする。
【００３７】
これとは別に、ソリッドコアのゴム組成物の配合割合を変更したものを用い、直径４２．０５ｍｍ、重量４２．７０ｇのツーピースソリッドゴルフボールを作製した。これを実施例１１とする。
【００３８】
比較のため、比重が１．２０を超え且つ反発係数が０．８２０を下回るとともに、上記式（１）を満足しないスリーピースソリッドゴルフボールと、比重が１．２０を超え且つ反発係数が０．８２０を下回り、さらに、重量が４５．２ｇを上回るとともに上記式（１）を満足しないスリーピースソリッドゴルフボールとを作製した。各々を比較例１、２とする。
【００３９】
そして、直径が４２．６ｍｍよりも大であるスリーピースソリッドゴルフボールを作製した。これを比較例３とする。
【００４０】
以上の実施例２〜１１及び比較例１〜３、さらに、市販されている３種の市販品１〜３の各ゴルフボールにつき、実施例１と同様にして比重及び慣性モーメントを測定するとともに、（比重×５３＋５）の値を求めた。また、反発係数及び飛距離を求めた。結果を、内層コア、外層コアないしソリッドコアの配合物の配合割合、直径、重量、ゴルフボール全体の直径、比重、重量とともに表１に纏めて示す。なお、表１から諒解されるように、市販品１はスリーピースソリッドゴルフボールであり、市販品２、３はツーピースソリッドゴルフボールである。
【００４１】
【表１】
2018102347.tif 000003
【００４２】
この表１から、実施例１〜１１のソリッドゴルフボールの飛距離が、比較例１〜３及び市販品１〜３のソリッドゴルフボールに比して大きいことが明らかである。
【符号の説明】
【００４３】
１０…ソリッドゴルフボール            １２…内層コア
１４…外層コア                        １６…ソリッドコア
１８…カバー
【図１】
2018102347.tif 000004